(57)【要約】【課題】既設中継ドレンの改修を容易に行うことができるとともに、排水溝を流れる排水が既設中継ドレンへ流れ込むことを防止する改修用ドレンを提供する。【解決手段】排水溝２０の底面部２１に設けられる既設中継ドレン３０の改修に用いられ、既設中継ドレン３０に挿入される管状部１１と、管状部１１の一端が接続される開口部１７を有し、既設中継ドレン３０を覆い、かつ排水溝２０の底面部２１および各側面部（右側面部２２、左側面部２３、傾斜低位側面部２４）に沿うように排水溝２０内に配置可能に構成される溝配置部１２と、を具備する改修用ドレン１０である。【選択図】図１
2012072616.tif 000002
【特許請求の範囲】
【請求項１】
排水溝の底面部に設けられる既設中継ドレンの改修に用いられる改修用ドレンであって、
前記既設中継ドレンに挿入される管状部と、
前記管状部の一端が接続される開口部を有し、前記既設中継ドレンを覆い、かつ前記排水溝の底面部および側面部に沿うように前記排水溝内に配置可能に構成される溝配置部と、
を具備する、
ことを特徴とする改修用ドレン。
【請求項２】
前記溝配置部は、前記排水溝の形状および前記既設中継ドレンの形状に合わせて変形可能な柔軟な材質で構成されることを特徴とする請求項１に記載の改修用ドレン。
【請求項３】
前記開口部は、
前記溝配置部の底部から下方に向けて湾曲状に突出する突出部の先端に配置されることを特徴とする請求項１または請求項２に記載の改修用ドレン。
【請求項４】
請求項１から請求項３のいずれか１項に記載の改修ドレンによる既設中継ドレンの改修方法であって、
前記改修用ドレンを前記排水溝および前記既設中継ドレンに配置し易くするために、前記排水溝および前記既設中継ドレンを加工する工程と、
前記改修用ドレンの管状部を前記加工した既設中継ドレンに挿入するとともに、前記改修用ドレンの溝配置部を、前記既設中継ドレンを覆うように、かつ前記加工した排水溝の底面部および側面部に沿うように前記加工した排水溝内に配置する工程と、
前記配置した改修用ドレンと、前記加工した排水溝および既設中継ドレンとの間を水密にする工程と、
を具備する、
ことを特徴とする改修ドレンによる既設中継ドレンの改修方法。
【発明の詳細な説明】
【技術分野】
【０００１】
本発明は、排水溝に設けられる既設中継ドレンの改修に用いられる改修用ドレンに関する。
【背景技術】
【０００２】
従来、建物の屋上やベランダ等の排水設備に設けられる中継ドレン（既設中継ドレン）が損傷し、または経年劣化して改修が必要な場合には、当該既設中継ドレンを排水設備から全面撤去する方法がある。しかし、当該方法は、既設中継ドレンが建物の屋上やベランダの床部に埋まっているため、既設中継ドレンを撤去するだけでなく、既設中継ドレン周辺のコンクリート、防水シート等も撤去しなければならず、既設中継ドレンの改修が煩雑であるという問題があった。また、既設中継ドレンの損傷または劣化の程度によっては、既設中継ドレンを完全に排水設備から撤去することができず、既設中継ドレンの改修が困難であるという問題もあった。
そこで、既設中継ドレンの上部に改修用ドレンを取り付けることにより、排水設備から既設中継ドレンを撤去することなく既設中継ドレンの改修を行う方法がある。
【０００３】
例えば、特許文献１においては、建物の排水管の内側に嵌められる管部と、該管部の上端から半径方向に外方に広がる鍔部と、を具備する改修用ドレンが開示されている。
特許文献１においては、当該改修用ドレンを既設中継ドレンに取り付けてから、固定ネジ等により当該改修用ドレンを既設中継ドレンおよび建物に固定している。
【先行技術文献】
【特許文献】
【０００４】
【特許文献１】特開２００３−２２７２０９号公報
【発明の概要】
【発明が解決しようとする課題】
【０００５】
しかしながら、特許文献１に示すような改修用ドレンは、排水溝内に設けられた既設中継ドレンに取り付ける際に、当該改修用ドレンの鍔部を排水溝の形状に合わせて変形させながら既設中継ドレンに取り付けるものではない。そのため、特許文献１に示すような改修用ドレンを排水溝内に設けられた既設中継ドレンに取り付けた場合、改修用ドレンの下面（裏面）と、排水溝との間に間隙が生じ易くなるとともに、当該隙間を水密にすることが困難である。そして、当該隙間が生じ易くなることで、排水溝を流れる排水が、改修用ドレンの上面を流れずに、当該間隙へ流れ込むこととなり、当該排水が、改修用ドレンの下側（裏側）の既設中継ドレンへ流れ込み易くなるという問題があった。
【０００６】
本発明は以上の如き状況に鑑みてなされたものであり、既設中継ドレンの改修を容易に行うことができるとともに、排水溝を流れる排水が既設中継ドレンへ流れ込むことを防止する改修用ドレンを提供する。
【課題を解決するための手段】
【０００７】
本発明の解決しようとする課題は以上であり、次にこの課題を解決するための手段を説明する。
【０００８】
即ち、第１の発明は、排水溝の底面部に設けられる既設中継ドレンの改修に用いられる改修用ドレンであって、前記既設中継ドレンに挿入される管状部と、前記管状部の一端が接続される開口部を有し、前記既設中継ドレンを覆い、かつ前記排水溝の底面部および側面部に沿うように前記排水溝内に配置可能に構成される溝配置部と、を具備するものである。
【０００９】
第２の発明は、第１の発明において、前記溝配置部は、前記排水溝の形状および前記既設中継ドレンの形状に合わせて変形可能な柔軟な材質で構成されるものである。
【００１０】
第３の発明は、第１または第２の発明において、前記開口部は、前記溝配置部の底部から下方に向けて湾曲状に突出する突出部の先端に配置されるものである。
【００１１】
第４の発明は、第１から第３のいずれか１つの発明による既設中継ドレンの改修方法であって、前記改修用ドレンを前記排水溝および前記既設中継ドレンに配置し易くするために、前記排水溝および前記既設中継ドレンを加工する工程と、前記改修用ドレンの管状部を前記加工した既設中継ドレンに挿入するとともに、前記改修用ドレンの溝配置部を、前記既設中継ドレンを覆うように、かつ前記加工した排水溝の底面部および側面部に沿うように前記加工した排水溝内に配置する工程と、前記配置した改修用ドレンと、前記加工した排水溝および既設中継ドレンとの間を水密にする工程と、を具備する、ものである。
【発明の効果】
【００１２】
本発明の効果として、以下に示すような効果を奏する。
【００１３】
すなわち、本発明に係る改修用ドレンによれば、既設中継ドレンの改修を容易に行うことができるとともに、排水溝を流れる排水が既設中継ドレンへ流れ込むことを防止できる。
【図面の簡単な説明】
【００１４】
【図１】第１実施形態に係る改修用ドレン、既設中継ドレン、および排水溝の斜視図。
【図２】（ａ）第１実施形態に係る改修用ドレンの背面断面図。（ｂ）第１実施形態に係る改修用ドレンの側面断面図。
【図３】第１実施形態に係る改修用ドレンを既設中継ドレン、および排水溝に取り付けた際の斜視図。
【図４】（ａ）第１実施形態に係る改修用ドレンを既設中継ドレン、および排水溝に配置した際の側面断面図。（ｂ）第１実施形態に係る改修用ドレンを既設中継ドレン、および排水溝の形状に合わせて変形させて取り付けた際の側面断面図。
【図５】第１実施形態に係る改修用ドレンの溝配置部の上部を外方向に折り曲げて、既設中継ドレン、および排水溝に取り付けた際の斜視図。
【図６】第１実施形態に係る改修用ドレンによる既設中継ドレンの改修が完了した際の斜視図。
【図７】第１実施形態に係る改修用ドレンによる既設中継ドレンの改修が完了した際の側面断面図。
【図８】（ａ）第１実施形態に係る改修用ドレンの管状部と溝配置部とを接続する前の側面断面図。（ｂ）第１実施形態に係る改修用ドレンの管状部と溝配置部とを接続した後の側面断面図。
【図９】第１実施形態に係る改修用ドレンを既設中継ドレン、および排水溝の形状に合わせて変形させた際の改修用ドレンの斜視図。
【図１０】第１実施形態に係る改修用ドレンを用いた既設中継ドレンの改修方法を示すフロー図。
【図１１】第２実施形態に係る改修用ドレン、既設中継ドレン、および排水溝の斜視図。
【発明を実施するための形態】
【００１５】
まず、本発明に係る改修用ドレンの第１実施形態である改修用ドレン１０について説明する。以下では、図１に示すように、改修用ドレン１０を排水溝２０に配置した際に、排水溝２０を流れる排水が改修用ドレン１０へ流れ込む側を改修用ドレン１０の前側として前後左右方向を規定する。
【００１６】
改修用ドレン１０は、排水溝２０に設けられる既設中継ドレン３０の改修に用いられるものである。
【００１７】
ここで、排水溝２０は、排水が流れる溝であり、図１に示すように、ベランダや廊下を構成する平面状の床部１に設けられる。既設中継ドレン３０は、排水溝２０に設けられる。排水溝２０を流れる排水は、既設中継ドレン３０を介して、既設中継ドレン３０の下方に設けられる雨樋に流れる。また、既設中継ドレン３０の上方に設けられる雨樋を流れる排水は、既設中継ドレン３０を介して、前記既設中継ドレン３０の下方の雨樋に流れる。
排水溝２０は、底面部２１と、右側面部２２と、左側面部２３と、傾斜低位側面部２４と、から構成される。
【００１８】
図１に示すように、排水溝２０の底面部２１は、排水溝２０の底面部分であり、排水が流れるようにその一端から他端に向けて傾斜している。
排水溝２０の右側面部２２は、排水溝２０の第１側面部であり、排水が流れる方向に対して平行する側面部のうち一方の側面部である。右側面部２２は、排水溝２０内を流れる排水の流れ方向に対して右側に形成される。
排水溝２０の左側面部２３は、排水溝２０の第２側面部であり、排水が流れる方向に対して平行する側面部のうち他方の側面部である。左側面部２３は、排水溝２０内を流れる排水の流れ方向に対して左側に形成される。
排水溝２０の傾斜低位側面部２４は、排水溝２０の第３側面部であり、排水が流れる方向の終端側の側面部である。傾斜低位側面部２４は、排水溝２０の傾斜低位側、すなわち、排水溝２０の長手方向（排水の流れ方向）の終端側に形成される。
【００１９】
また、図１に示すように、既設中継ドレン３０は、排水溝２０の長手方向（排水の流れ方向）の終端側（傾斜低位側面部２４の近傍）であって、排水溝２０の底面部２１に配置される。すなわち、既設中継ドレン３０は、排水溝２０を流れる排水が、既設中継ドレン３０の前側から既設中継ドレン３０内に流れ込むように配置される。
既設中継ドレン３０は、鍔部３１と、管部３２と、から構成される。
既設中継ドレン３０の鍔部３１は、排水溝２０を流れる排水を受ける部分であり、排水溝２０の底面部２１に配置される。
既設中継ドレン３０の管部３２は、鍔部３１において受けた排水を、既設中継ドレン３０の下方に設けられる雨樋へ排出する部分である。管部３２は、筒状の部分であり、上端が鍔部３１の下部に接続されるとともに、下端が雨樋に接続される。
【００２０】
一方、図１および図２に示すように、改修用ドレン１０は、管状部１１と、溝配置部１２と、を具備する。改修用ドレン１０は、排水溝２０を流れる排水が排水溝２０の傾斜高位側から溝配置部１２の前側へ流れ込み、流れ込んだ排水が管状部１１から排出されるように、排水溝２０および既設中継ドレン３０に取り付けられる。
改修用ドレン１０の管状部１１は、既設中継ドレン３０の管部３２に挿入される部分である。
改修用ドレン１０の溝配置部１２は、既設中継ドレン３０を覆うように配置され、かつ排水溝２０の底面部２１および排水溝２０の各側面部（右側面部２２、左側面部２３、傾斜低位側面部２４）に沿うように排水溝２０内に配置可能に構成される部分である。溝配置部１２は、排水溝２０内を流れる排水が排水溝２０の傾斜高位側から溝配置部１２の前側へ（図４の矢印Ａ方向へ）流れ込むように、排水溝２０内に配置される。また、溝配置部１２は、その底部１３に開口部１７を有する。
改修用ドレン１０の溝配置部１２における開口部１７は、溝配置部１２の底部１３の傾斜低位部である底部１３の後端部に設けられる。図２に示すように、開口部１７は、管状部１１の一端が接続される部分である。開口部１７と、管状部１１の一端とが接続されることにより、管状部１１内と溝配置部１２内とが連通する。
【００２１】
ここで、改修用ドレン１０の管状部１１の構成について説明する。
図１および図２に示すように、改修用ドレン１０の管状部１１は、管状の部材である。管状部１１は、既設中継ドレン３０の管部３２に挿入可能となるように、その外径が既設中継ドレン３０の管部３２の内径より小さい。管状部１１は、既設中継ドレン３０の管部３２の形状に合わせて変形可能な柔軟な材質（例えば、薄い鉛素材や半田素材）で構成される。
【００２２】
次に、改修用ドレン１０の溝配置部１２の構成について説明する。
【００２３】
図１および図２に示すように、改修用ドレン１０の溝配置部１２は、直方体の上面と正面が取り除かれた部材であり、排水溝２０および既設中継ドレン３０の鍔部３１の形状に合わせて変形可能で、かつ切断工具により容易に切断可能な柔軟な材質（例えば、薄い鉛素材や半田素材）で構成される。溝配置部１２は、底部１３と、右側部１４と、左側部１５と、後側部１６と、開口部１７と、から構成される。
【００２４】
図３および図４に示すように、改修用ドレン１０の溝配置部１２における底部１３は、排水溝２０の底面部２１の上部および既設中継ドレン３０の鍔部３１の上部に配置される部分である。底部１３は、その後部が略円弧状に湾曲して形成される。底部１３の左右方向の長さは、溝配置部１２を排水溝２０に嵌め合わすことができる程度（排水溝２０の底面部２１の左右方向の長さと同程度）の長さとなっている。また、底部１３の前後方向の長さは、既設中継ドレン３０の鍔部３１の上部を完全に覆うことが可能な程度の長さとなっている。底部１３は、溝配置部１２の前側から後側に向けて、すなわち排水溝２０を流れる排水の流れ方向に傾斜している。底部１３は、排水溝２０の排水が流れる方向の始端側の縁部が排水溝２０の底面部２１に沿うように排水溝２０内に配置可能に構成される。底部１３は、既設中継ドレン３０の上部に配置される。
【００２５】
改修用ドレン１０の溝配置部１２における右側部１４は、溝配置部１２の第１側部であり、底部１３の右側端部から上方向に延設される。右側部１４は、底部１３における排水溝２０の右側面部２２側の縁部から立設される。右側部１４と底部１３との間は水密に形成される。右側部１４は、溝配置部１２を排水溝２０に配置した際に、排水溝２０の右側面部２２に沿うように排水溝２０内に配置可能に構成される。右側部１４の上下方向の長さは、改修用ドレン１０を排水溝２０に配置した際に、排水溝２０を流れる排水が、改修用ドレン１０の下側（右側部１４の側面と右側面部２２との間に生じる間隙）へ流れ込まない程度の長さである。右側部１４の上下方向の長さは、右側面部２２の上下方向の長さ（排水溝２０の深さ）より長く構成される。そして、図３に示すように、右側部１４の上端は、溝配置部１２を排水溝２０に固定した際には、床部１の床面に合わせて切断される。
【００２６】
改修用ドレン１０の溝配置部１２における左側部１５は、溝配置部１２の第２側部であり、右側部１４と対向するように、底部１３の左側端部から上方向に延設される。左側部１５は、底部１３における排水溝２０の左側面部２３側の縁部から立設される。左側部１５と底部１３との間は水密に形成される。左側部１５は、溝配置部１２を排水溝２０に配置した際に、排水溝２０の左側面部２３に沿うように排水溝２０内に配置可能に構成される。左側部１５の上下方向の長さは、改修用ドレン１０を排水溝２０に配置した際に、排水溝２０を流れる排水が、改修用ドレン１０の下側（左側部１５の側面と左側面部２３との間に生じる間隙）へ流れ込まない程度の長さである。左側部１５の上下方向の長さは、左側面部２３の上下方向の長さ（排水溝２０の深さ）より長く構成される。そして、図３に示すように、左側部１５の上端は、溝配置部１２を排水溝２０に固定した際には、床部１の床面に合わせて切断される。
【００２７】
改修用ドレン１０の溝配置部１２における後側部１６は、溝配置部１２の第３側部であり、略平面状の部材を湾曲させて形成した部分である。後側部１６は、底部１３の後側端部から上方向に延設される。後側部１６は、底部１３における排水溝２０の傾斜低位側面部２４側の縁部から立設される。後側部１６と底部１３との間は水密に形成される。後側部１６は、溝配置部１２を排水溝２０に配置した際に、排水溝２０の傾斜低位側面部２４に沿うように排水溝２０内に配置可能に構成される。後側部１６の上下方向の長さは、改修用ドレン１０を排水溝２０に配置した際に、排水溝２０を流れる排水が、改修用ドレン１０の下側（後側部１６の側面と傾斜低位側面部２４との間に生じる間隙）へ流れ込まない程度の長さである。後側部１６の上下方向の長さは、傾斜低位側面部２４の上下方向の長さ（排水溝２０の深さ）より長く構成される。そして、図３に示すように、後側部１６の上端は、溝配置部１２を排水溝２０に固定した際には、床部１の床面に合わせて切断される。
【００２８】
改修用ドレン１０の溝配置部１２における開口部１７は、排水溝２０の傾斜高位側から溝配置部１２の前側へ流れ込んできた排水が、管状部１１に流れ込むための当該排水の入口部分である。
【００２９】
以上のように改修用ドレン１０は構成される。
そして、改修用ドレン１０を用いて、既設中継ドレン３０を改修する際には、既設の雨樋を既設中継ドレン３０の上方および下方から取り除き、既設中継ドレン３０および排水溝２０の表面を加工した後、図３および図４（ａ）に示すように、改修用ドレン１０の管状部１１を既設中継ドレン３０の管部３２に挿入するとともに、改修用ドレン１０の溝配置部１２を排水溝２０に配置する。この時、溝配置部１２の右側部１４が排水溝２０の右側面部２２に沿うように、溝配置部１２の左側部１５が排水溝２０の左側面部２３に沿うように、溝配置部１２の後側部１６が排水溝２０の傾斜低位側面部２４に沿うように、溝配置部１２を排水溝２０内に配置する。このように、管状部１１を管部３２に挿入し、溝配置部１２を排水溝２０に配置することで、改修用ドレン１０が排水溝２０および既設中継ドレン３０に取り付けられる。
さらに、図４（ｂ）に示すように、改修用ドレン１０の溝配置部１２を木槌で叩くことにより、溝配置部１２を、排水溝２０および既設中継ドレン３０の形状に合わせて変形させる。これにより、溝配置部１２の底部１３および各側部（右側部１４、左側部１５、後側部１６）が、排水溝２０の底面部２１および各側面部（右側面部２２、左側面部２３、傾斜低位側面部２４）と、既設中継ドレン３０の鍔部３１と、に沿うように排水溝２０内に取り付けられる。
さらにまた、図６および図７に示すように、改修用ドレン１０および排水溝２０を防水層５０（防水シート）によって被覆することにより、改修用ドレン１０と、排水溝２０との間を水密にする。
また、改修用ドレン１０の上方に、雨樋４０が配置されるとともに、改修用ドレン１０の下方に、雨樋４１が配置される。
図７に示すように、雨樋４０は、雨樋４０内を流れる排水が改修用ドレン１０の管状部１１へ流れ込むように配置される。雨樋４０は、その下端が改修用ドレン１０の溝配置部１２の内部であって、改修用ドレン１０の管状部１１の上方（改修用ドレン１０の溝配置部１２における開口部１７の上方）に配置される。
図７に示すように、雨樋４１は、改修用ドレン１０の管状部１１の下端部が雨樋４１内に挿入されるように、改修用ドレン１０の管状部１１の下端部に取り付けられる。
【００３０】
以上のように改修用ドレン１０を構成することで、溝配置部１２の各側部（右側部１４、左側部１５、後側部１６）が、排水溝２０の各側面部（右側面部２２、左側面部２３、傾斜低位側面部２４）に沿うように排水溝２０内に配置可能に構成されるため、溝配置部１２を排水溝２０の溝形状に合わせて容易に配置することができる。そのため、改修用ドレン１０を既設中継ドレン３０（排水溝２０）へ容易に取り付けることができる。
【００３１】
また、改修用ドレン１０を既設中継ドレン３０（排水溝２０）へ取り付けた場合、溝配置部１２の各側部（右側部１４、左側部１５、後側部１６）が排水溝２０の各側面部（右側面部２２、左側面部２３、傾斜低位側面部２４）に沿うため、排水溝２０を流れる排水が、溝配置部１２の各側部（右側部１４、左側部１５、後側部１６）と、排水溝２０の各側面部（右側面部２２、左側面部２３、傾斜低位側面部２４）との間隙から改修用ドレン１０（溝配置部１２）の下側へ流れ込み難くなる。そのため、排水溝２０を流れる排水が、既設中継ドレン３０へ流れ込むことを防止できる。また、防水層５０が経年劣化した場合であっても、排水溝２０を流れる排水が、既設中継ドレン３０へ流れ込むことを防止できる。
【００３２】
さらに、改修用ドレン１０の溝配置部１２が、排水溝２０の形状および既設中継ドレン３０の形状に合わせて変形可能な柔軟な材質で構成されることから、溝配置部１２を排水溝２０および既設中継ドレン３０の形状に合わせながら変形させて排水溝２０および既設中継ドレン３０の形状に一致するように確実に溝配置部１２を排水溝２０および既設中継ドレン３０に取り付けることができる。
同様に、改修用ドレン１０の管状部１１が、既設中継ドレン３０の管部３２の形状に合わせて変形可能な柔軟な材質で構成されることから、管状部１１を既設中継ドレン３０の管部３２の形状に合わせながら変形させて管部３２の形状に一致するように確実に管状部１１を既設中継ドレン３０に取り付けることができる。
【００３３】
なお、改修用ドレン１０の溝配置部１２における各側部（右側部１４、左側部１５、後側部１６）の上端は、図３に示すように、溝配置部１２を排水溝２０に固定した際には、床部１の床面に合わせて切断されるが、溝配置部１２の外方向に折り曲げてもよい（図５参照）。
また、改修用ドレン１０の管状部１１は、既設中継ドレン３０の管部３２に容易に挿入できるように、管状部１１の下端の外径が、管状部１１の上端の外径より小さく構成されている。
【００３４】
さらに、図４に示すように、改修用ドレン１０の管状部１１は、既設中継ドレン３０の管部３２に挿入されると、その先端部が床部１の上面から下面に貫通する。すなわち、管状部１１は、その先端部分が床部１の下面から突出可能な程度の長さに構成される。このように管状部１１が構成されることにより、床部１の下面から突出する部分に改修用ドレン１０（既設中継ドレン３０）の下方に設けられる雨樋４１を、改修用ドレン１０の下方から改修用ドレン１０に容易に取り付けることができる。
【００３５】
さらにまた、改修用ドレン１０においては、開口部１７と管状部１１の一端（上端）との接続部１９を溝配置部１２の底部１３から離れた位置に設けてもかまわない。
図８および図９に示すように、改修用ドレン１０の開口部１７は、底部１３から下方に突出する突出部１８の先端に設けられる。溝配置部１２は、突出部１８の先端に設けられる開口部１７に管状部１１の一端（上端）を突き合わせることで管状部１１に接続される。
突出部１８は、筒状の部分であり、溝配置部１２の底部１３から下方に向けて湾曲状に突出する。突出部１８は、溝配置部１２の底部１３を基端とし、当該基端から底部１３の下方へ向けて滑らかな円弧形状に曲げられる。
突出部１８の先端に設けられる開口部１７と、管状部１１の一端（上端）とは、溝配置部１２の底部１３から離れた位置で接続される。開口部１７に管状部１１の一端（上端）が接続されることにより、管状部１１内と溝配置部１２内とが連通する。
【００３６】
以上のように、改修用ドレン１０の開口部１７が改修用ドレン１０の溝配置部１２の底部１３から下方に向けて湾曲状に突出する突出部１８の先端に設けられることから、排水溝２０を流れる排水が、開口部１７から管状部１１へ流れ易くなる。
また、開口部１７と、管状部１１の一端（上端）との接続部１９は溶接により処理がなされているため、接続部１９はその周辺部と比べて硬くなるが、突出部１８の先端に開口部１７が設けられることで、接続部１９が溝配置部１２の底部１３から離れた位置となるため、改修用ドレン１０の溝配置部１２における底部１３を排水溝２０の底面部２１に沿わせる際に、改修用ドレン１０の溝配置部１２における底部１３を排水溝２０の底面部２１に沿わせ易くなる。図９に示すように、接続部１９が溝配置部１２の底部１３から離れた位置となるため、底部１３と、接続部１９との間に設けられる突出部１８の形状を既設中継ドレン３０の形状に合わせて容易に変形することができる。
【００３７】
次に、改修用ドレン１０による既設中継ドレン３０の改修方法について説明する。
【００３８】
図１０に示すように、まず、改修用ドレン１０を排水溝２０および既設中継ドレン３０に配置し易くするために、排水溝２０および既設中継ドレン３０を加工する工程（第１工程）を行う。
第１工程では、既設中継ドレン３０の上方および下方に設けられる既設の雨樋を既設中継ドレン３０の上方および下方から取り除く。そして、適宜の工具（例えば、サンダー）を用いて、既設中継ドレン３０および排水溝２０の表面を平らにし、または既設中継ドレン３０および排水溝２０に付着した付着物（例えば、錆）を除去する。
【００３９】
上記第１工程が完了すると、次の工程として、第１工程において加工した排水溝２０および既設中継ドレン３０に、改修用ドレン１０を配置する工程（第２工程）を行う。
第２工程では、改修用ドレン１０の管状部１１を加工した既設中継ドレン３０に挿入するとともに、改修用ドレン１０の溝配置部１２を、既設中継ドレン３０を覆うように、かつ加工した排水溝２０の底面部２１および各側面部（右側面部２２、左側面部２３、傾斜低位側面部２４）に沿うように排水溝２０内に配置する。
この際、既設中継ドレン３０の管部３２に、改修用ドレン１０の管状部１１を挿入する。この時、溝配置部１２の右側部１４を排水溝２０の右側面部２２側へ、溝配置部１２の左側部１５を排水溝２０の左側面部２３側へ、溝配置部１２の後側部１６を排水溝２０の傾斜低位側面部２４側へ、それぞれ向けながら管状部１１を管部３２に挿入する。
また、溝配置部１２の底部１３が既設中継ドレン３０を覆うように、かつ溝配置部１２の底部１３および各側部（右側部１４、左側部１５、後側部１６）が排水溝２０の底面部２１および各側面部（右側面部２２、左側面部２３、傾斜低位側面部２４）に沿うように溝配置部１２を排水溝２０内に配置する。そして、変形可能な柔軟な材質で構成される溝配置部１２を、例えば木槌で叩いて、排水溝２０および既設中継ドレン３０の形状に合わせて、溝配置部１２の形状を変形させながら、管状部１１および溝配置部１２を排水溝２０および既設中継ドレン３０に取り付ける。この際、溝配置部１２の各側部（右側部１４、左側部１５、後側部１６）と、排水溝２０の各側面部（右側面部２２、左側面部２３、傾斜低位側面部２４）との間隙が閉じるように溝配置部１２を排水溝２０に取り付ける
【００４０】
上記第２工程が完了すると、次の工程として、第２工程において配置した改修用ドレン１０と、第１工程において加工した排水溝２０および既設中継ドレン３０との間を水密にする工程（第３工程）を行う。
改修用ドレン１０の溝配置部１２における各側部（右側部１４、左側部１５、後側部１６）と、排水溝２０の各側面部（右側面部２２、左側面部２３、傾斜低位側面部２４）との間隙が閉じるように、改修用ドレン１０および排水溝２０を防水層５０（防水シート）によって被覆する。
【００４１】
上記第３工程が完了すると、次の工程として、改修用ドレン１０の上方および下方に雨樋４０および雨樋４１を配置する工程（第４工程）を行う。
まず、雨樋４０の下端が改修用ドレン１０の溝配置部１２の内部であって、管状部１１の上方（開口部１７の上方）となるように、雨樋４０を配置する。次に、管状部１１の下端部が雨樋４１内に挿入されるように、雨樋４１の上端部を管状部１１の下端部に取り付ける。
【００４２】
なお、上記第４工程においては、改修用ドレン１０の下方に雨樋４１を配置した後に、改修用ドレン１０の上方に雨樋４０を配置しても構わない。
また、上記第２工程が完了した後に上記第４工程を先に行い、その後に上記第３工程を行っても構わない。
【００４３】
以上のように、第１工程から第３工程を行うことで、溝配置部１２の各側部（右側部１４、左側部１５、後側部１６）が、排水溝２０の各側面部（右側面部２２、左側面部２３、傾斜低位側面部２４）に沿うように排水溝２０内に配置されるため、溝配置部１２を排水溝２０の溝形状に合わせて容易に配置することができる。そのため、改修用ドレン１０を既設中継ドレン３０（排水溝２０）へ容易に取り付けることができる。
【００４４】
また、排水溝２０を流れる排水が、溝配置部１２の各側部（右側部１４、左側部１５、後側部１６）と、排水溝２０の各側面部（右側面部２２、左側面部２３、傾斜低位側面部２４）との間隙から改修用ドレン１０（溝配置部１２）の下側へ流れ込み難くなるように、改修用ドレン１０を既設中継ドレン３０（排水溝２０）に取り付けることができる。そのため、排水溝２０を流れる排水が、既設中継ドレン３０へ流れ込むことを防止できる。
【００４５】
溝配置部１２が、排水溝２０の形状および既設中継ドレン３０の形状に合わせて変形可能な柔軟な材質で構成されることから、溝配置部１２を排水溝２０および既設中継ドレン３０の形状に合わせながら確実に溝配置部１２を排水溝２０および既設中継ドレン３０に取り付けることができる。
【００４６】
次に、本発明に係る改修用ドレンの第２実施形態である改修用ドレン７０について説明する。以下では、改修用ドレン７０を排水溝２０に配置した際に排水が流れ込む側を前側として前後左右方向を規定する。また、改修用ドレン７０以外の構成については、第１実施形態と同様の構成については説明を省略する。
【００４７】
改修用ドレン７０による既設中継ドレン３０の改修は、第１実施形態である改修用ドレン１０の場合と同様に、排水溝２０の底面部２１に既設された既設中継ドレン３０の上に改修用ドレン７０を取り付けることにより行う。
改修用ドレン７０は、排水溝２０の中途部であって、排水溝２０の底面部２１に設けられる既設中継ドレン３０に取り付けられる。
【００４８】
図１１に示すように、改修用ドレン７０は、管状部７１と、溝配置部７２とから構成される。
【００４９】
改修用ドレン７０の管状部７１は、既設中継ドレン３０の管部３２に挿入される管状の部分である。管状部７１は、溝配置部７２の下面中央部に設けられる。管状部７１の構成は、第１実施形態である改修用ドレン１０の管状部１１の構成と同様のため説明を省略する。
【００５０】
改修用ドレン７０の溝配置部７２は、排水溝２０および既設中継ドレン３０を覆うように配置され、かつ排水溝２０の各側面部（右側面部２２、左側面部２３）を沿うように排水溝２０内に配置可能に構成される部分である。溝配置部７２は、直方体の上面、正面、および背面が取り除かれた形状であり、その前後方向から、排水溝２０内を流れる排水が流れ込むように構成される。溝配置部７２は、管状部７１の上端に接続され、管状部７１を中心として左右方向に延設される。溝配置部７２は、排水溝２０および既設中継ドレン３０の形状に合わせて変形可能で、かつ切断工具により容易に切断可能な柔軟な材質（例えば、薄い鉛素材や半田素材）で構成される。
【００５１】
図１１に示すように、溝配置部７２は、底部７３と、右側部７４と、左側部７５と、開口部７７と、から構成される。
【００５２】
改修用ドレン７０の溝配置部７２における底部７３は、排水溝２０および既設中継ドレン３０の上部に配置される部分である。底部７３は、溝配置部１２の前側および後側から中央部に向けて、すなわち、溝配置部１２の前後両端部から開口部７７へ向けて（排水溝２０を流れる排水の流れ方向へ向けて）傾斜している。
【００５３】
改修用ドレン７０の溝配置部７２における右側部７４は、溝配置部７２の第１側部であり、底部７３の右側端部から上方向に延設される。
改修用ドレン７０の溝配置部７２における左側部７５は、溝配置部７２の第２側部であり、底部７３の左側端部から上方向に延設される。
【００５４】
改修用ドレン７０の溝配置部７２における開口部７７は、底部７３の中央部に設けられる。すなわち、開口部７７は、底部７３の傾斜低位部に設けられる。
【００５５】
以上のように、改修用ドレン７０を構成することにより、排水溝２０の中途部に設けられる既設中継ドレン３０に対して、容易に改修用ドレン７０を取り付けることができるとともに、排水溝２０を流れる排水が、改修用ドレン７０の溝配置部７２における各側部（右側部７４、左側部７５）と、排水溝２０の各側面部（右側面部２２、左側面部２３）との間隙から改修用ドレン７０（溝配置部１２）の下側へ流れ込み難くなり、排水溝２０を流れる排水が、既設中継ドレン３０へ流れ込むことを防止できる。
【符号の説明】
【００５６】
１０    改修用ドレン
１１    管状部
１２    溝配置部
１７    開口部
１８    突出部
２０    排水溝
２１    底面部
２２    右側面部（側面部）
２３    左側面部（側面部）
２４    傾斜低位側面部（側面部）
３０    既設中継ドレン
【図１】
2012072616.tif 000003
【図２】
2012072616.tif 000004
【図３】
2012072616.tif 000005
【図４】
2012072616.tif 000006
【図５】
2012072616.tif 000007
【図６】
2012072616.tif 000008
【図７】
2012072616.tif 000009
【図８】
2012072616.tif 000010
【図９】
2012072616.tif 000011
【図１０】
2012072616.tif 000012
【図１１】
2012072616.tif 000013